(57)【要約】 【課題】  床衝撃音を効果的に低減しながら、施工費を安価に抑え、施工性の向上を図ることができる床パネルの支持装置の提供を目的とする。【解決手段】  この支持装置３は、並設する複数の床パネル２・・を設置する設置部材２０と、この設置部材２０に床パネル２・・を固定する複数の固定部材２３と、設置部材２０を弾性支持する複数の弾性支持部材２１、２２・・とを備え、設置部材２０は、複数のパネル載置台３０、３１・・を連結手段３２を介して連結してなる。従って、設置部材２０の長さ調整を、パネル設置台３０、３１・・の連結個数を調節することで、簡単に行うことができる。【選択図】  図１
2007023558.tif 000002
【特許請求の範囲】
【請求項１】
並設する複数の床パネル（２）・・を設置する設置部材（２０）と、この設置部材（２０）に床パネル（２）・・を固定する複数の固定部材（２３）・・と、前記設置部材（２０）を弾性支持する複数の弾性支持部材（２１）（２２）・・とを備え、前記設置部材（２０）は、複数のパネル載置台（３０）（３１）・・を連結手段（３２）・・を介して連結してなることを特徴とする床パネルの支持装置。
【請求項２】
前記連結手段（３２）は、隣接するパネル載置台（３０）（３１）のうちの一方に形成された溝部（３９）と、前記隣接するパネル載置台（３０）（３１）のうちの他方に形成されて、前記溝部（３９）に係合する突部（３７）とからなり、これら突部（３７）と溝部（３９）を係合した連結状態において、前記隣接するパネル載置台（３０）（３１）の載置面（３０ａ）（３１ａ）が略面一に連続して配される請求項１記載の床パネルの支持装置。
【請求項３】
前記弾性支持部材（２１）（２２）の取付用ボルト（４１）（５２）を、前記パネル載置台（３０）（３１）のボルト挿通孔（３８）へ挿通させるとともに、その先端部に螺合したナット（４３）を締め付けることによって、前記各パネル載置台（３０）（３１）に対して前記弾性支持部材（２１）（２２）を取り付けるようにした請求項１又は２記載の床パネルの支持装置。
【請求項４】
前記パネル載置台（３０）（３１）は、その長手方向の略中央部に前記弾性支持部材（２１）を取り付ける中間部用と、その長手方向の端部に前記弾性支持部材（２２）を取り付ける端部用とを備えている請求項１乃至３のいずれかに記載の床パネルの支持装置。
【請求項５】
前記固定部材（２３）は、前記パネル載置台（３０）（３１）から上方へ向けて突出する固定用ボルト（３５）と、この固定用ボルト（３５）を挿通させた状態で前記パネル載置台（３０）（３１）に載せた床パネル（２）（２）上面に当接する当接プレート（６０）と、前記固定用ボルト（３５）に螺合して前記当接プレート（６０）を押し込むナット（６１）とを備えている請求項１乃至４のいずれかに記載の床パネルの支持装置。
【請求項６】
隣接するパネル載置台（３０）（３１）のうちの一方から突出した前記固定用ボルト（３５）を、隣接するパネル載置台（３０）（３１）のうちの他方のボルト貫通孔（３６）に挿通させて、隣接するパネル載置台（３０）（３１）同士を連結した請求項５記載の床パネルの支持装置。
【請求項７】
前記弾性支持部材（２１）（２２）・・の個数が、前記パネル載置台（３０）（３１）・・の個数以下である請求項１乃至６のいずれかに記載の床パネルの支持装置。
【請求項８】
請求項１乃至７のいずれかに記載の支持装置（３）を用いた床構造であって、前記複数の弾性支持部材（２１）（２２）・・を床梁（１）に取り付けるとともに、それら弾性支持部材（２１）（２２）・・によって前記床梁（１）に沿って配置した設置部材（２０）を弾性支持し、この設置部材（２０）に複数の床パネル（２）・・の端部を設置して、それら床パネル（２）・・の端部を複数の固定部材（２３）・・によって前記設置部材（２０）に固定したことを特徴とする床構造。
【請求項９】
前記弾性支持部材（２１）（２２）・・を前記床パネル（２）・・の隅部に対応して配置するとともに、前記床パネル（２）・・の端部の略中央部分を前記固定部材（２３）・・による固定部位とした請求項８記載の床構造。
【発明の詳細な説明】
【技術分野】
【０００１】
この発明は、住宅やマンション等における床の構築に際して使用される床パネルの支持装置及びこれを用いた床構造に関する。
【背景技術】
【０００２】
住宅等の床として、例えば特許文献１及び２にも開示されているように、床梁に防振ゴムや液封マウント等の弾性支持部材を取り付けて、これら弾性支持部材によって床梁に沿って配置した床受部材を弾性支持して、この床受部材に複数の床パネルの端部を設置することで、床衝撃音を低減するようにした床構造が知られている。
【０００３】
このような床受部材を使用した床構造においては、床パネルを弾性支持部材に直接取り付ける構造のものと比べて、弾性支持部材の水平方向や回転方向への挙動を抑えて、床パネルを安定した状態で弾性支持して、床衝撃音の低減効果を高めることができる。
【０００４】
【特許文献１】特開２００２−１０６０９９号公報
【特許文献２】特開２００２−２０１７５４号公報
【発明の開示】
【発明が解決しようとする課題】
【０００５】
しかしながら、上記のような床構造では、床梁の長さに応じた長尺な床受部材を用いているので、長さの異なる複数の床梁が使用されている場合には、それら各床梁に対応した長さの異なる複数の床受部材が必要となる。また、住宅のタイプが異なれば、使用する床梁の長さも異なってくることから、住宅毎に用意する床受部材の長さも異なることになる。このため、長さの異なる数多くの種類の床受部材を必要とする場合が多く、施工費が高くなる傾向にあった。
【０００６】
また、長さの異なる複数の長尺の床受部材を用いる場合、現場での施工も面倒になるといった不具合があった。
【０００７】
そこで、この発明は、上記の不具合を解消して、床衝撃音を効果的に低減しながら、施工費を安価に抑え、施工性の向上を図ることができる床パネルの支持装置及び床構造の提供を目的とする。
【課題を解決するための手段】
【０００８】
上記の課題を解決するため、この発明の支持装置３は、並設する複数の床パネル２・・を設置する設置部材２０と、この設置部材２０に床パネル２・・を固定する複数の固定部材２３・・と、前記設置部材２０を弾性支持する複数の弾性支持部材２１、２２・・とを備え、前記設置部材２０は、複数のパネル載置台３０、３１・・を連結手段３２・・を介して連結してなることを特徴とする。
【０００９】
また、前記連結手段３２は、隣接するパネル載置台３０、３１のうちの一方に形成された溝部３９と、前記隣接するパネル載置台３０、３１のうちの他方に形成されて、前記溝部３９に係合する突部３７とからなり、これら突部３７と溝部３９を係合した連結状態において、前記隣接するパネル載置台３０、３１の載置面３０ａ、３１ａが略面一に連続して配される。
【００１０】
さらに、前記弾性支持部材２１、２２の取付用ボルト４１、５２を、前記パネル載置台３０、３１のボルト挿通孔３８へ挿通させるとともに、その先端部に螺合したナット４３を締め付けることによって、前記各パネル載置台３０、３１に対して前記弾性支持部材２１、２２を取り付けるようにしている。
【００１１】
さらにまた、前記パネル載置台３０、３１は、その長手方向の略中央部に前記弾性支持部材２１を取り付ける中間部用と、その長手方向の端部に前記弾性支持部材２２を取り付ける端部用とを備えている。
【００１２】
また、前記固定部材２３は、前記パネル載置台３０、３１から上方へ向けて突出する固定用ボルト３５と、この固定用ボルト３５を挿通させた状態で前記パネル載置台３０、３１に載せた床パネル２、２上面に当接する当接プレート６０と、前記固定用ボルト３５に螺合して前記当接プレート６０を押し込むナット６１とを備えている。
【００１３】
さらに、隣接するパネル載置台３０、３１のうちの一方から突出した前記固定用ボルト３５を、隣接するパネル載置台３０、３１のうちの他方のボルト貫通孔３６に挿通させて、隣接するパネル載置台３０、３１同士を連結している。
【００１４】
さらにまた、前記弾性支持部材２１、２２・・の個数が、前記パネル載置台３０、３１・・の個数以下である。
【００１５】
この発明の床構造は、上記の支持装置３を用いたものであって、前記複数の弾性支持部材２１、２２・・を前記床梁１に取り付けるとともに、それら弾性支持部材２１、２２・・によって前記床梁１に沿って配置した設置部材２０を弾性支持し、この設置部材２０に複数の床パネル２・・の端部を設置して、それら床パネル２・・の端部を複数の固定部材２３・・によって前記設置部材２０に固定したことを特徴とする。
【００１６】
また、前記弾性支持部材２１、２２・・を前記床パネル２・・の隅部に対応して配置するとともに、前記床パネル２・・の端部の略中央部分を前記固定部材２３・・による固定部位としている。
【発明の効果】
【００１７】
この発明においては、並設する複数の床パネルを設置する設置部材を、複数のパネル載置台を連結することによって構成しているから、パネル載置台の連結個数を調節するだけで、設置部材の長さ調整を簡単に行うことができ、従来のように長さの異なる数多くの種類の床受部材を用意する必要がなく、床衝撃音を効果的に低減しながら、施工費を安価に抑え、施工性の向上を図ることができる。
【００１８】
また、隣接するパネル載置台に形成した突部と溝部を互いに係合させることで、これら隣接するパネル載置台同士を連結しているので、簡単な構造でありながら、パネル載置台の水平方向のずれを抑えた安定した連結を可能にすることができる。
【００１９】
さらに、パネル載置台に弾性支持部材を取り付ける構造となっているので、これらをユニットとして予め組み付けておけば、現場においてパネル載置台同士を連結させながら弾性支持部材を床梁等に取り付けるだけで、設置部材の施工を簡単に済ますことができる。しかも、従来のような長尺な床受部材に弾性支持部材を予め組み付けるときと比べて、ユニットの搬送や取り扱いが容易であり、施工性が向上する。
【００２０】
さらにまた、中間部用と端部用のパネル載置台を用意することで、現場でのパネル載置台のカット等の作業をなくして、設置部材の施工をさらに簡単にすることができる。
【００２１】
また、床パネルを固定するためのパネル載置台の固定用ボルトを、隣接するパネル載置台のボルト貫通孔に挿通させて、固定用ボルトをパネル載置台同士の連結にも利用しているので、部品点数の削減を図りながら、これらパネル載置台同士をより確実に連結することができる。
【００２２】
さらにまた、弾性支持部材を床パネルの隅部に対応して配置することで、例えば弾性支持部材を床パネルの端部の略中央部分に対応して配置するときに比べて、床パネルをバランス良く弾性支持することができる。
【００２３】
しかも、床パネルの端部の略中央部分を固定部材による固定部位とすることで、床パネルを安定して固定することができる。
【発明を実施するための最良の形態】
【００２４】
以下、この発明の実施形態を図面に基づいて詳細に説明する。この発明の一実施形態に係る床構造は、例えば住宅やマンション等の上層階において適用され、床梁１・・と複数の床パネル２・・との間に支持装置３を介在させて、床梁１・・に対して床パネル２・・を弾性支持したものである。
【００２５】
床梁１・・は、例えば図１及び図２に示すように、フランジ４、４を上下に互いに平行になるようにして配置したＨ形鋼からなる。そして、床梁１の上フランジ４には、複数のボルト孔５・・が要所要所に形成されている。
【００２６】
床パネル２は、例えば図１２に示すように、コンクリート基材１０に補強部材１１を埋設することによって構成されている。コンクリート基材１０は、平面視略長方形状に形成されており、その短手方向に沿った端部における厚み方向下部側をＬ形に切り欠くことによって、短手方向に沿った端部における厚み方向上部側が側方へ張り出して、張出部１２、１２が形成されている。また、このコンクリート基材１０の張出部１２、１２の上面略中央には、方形状の横溝１３、１３が夫々形成されている。
【００２７】
補強部材１１は、例えば複数の棒鋼を格子状に溶接してなるメッシュ筋１４に、一対のハット形鋼１５、１５を、それら開口部分が上向きとなるようにして互いに略平行に溶接することによって構成されている。このようにして構成された補強部材１１は、そのハット形鋼１５、１５の凸部をコンクリート基材１０の下面から突出させるようにして、コンクリート基材１０に埋設されている。すなわち、ハット形鋼１５、１５は、コンクリート基材１０の短手方向に沿った端部から回避した状態となっており、後述する張出部１２、１２の設置部材２０への設置に際して支障をきたさないようになっている。
【００２８】
さらに、コンクリート基材１０の切り欠き部分には、張出部１２、１２の下面を覆うようにしてＬ形のアングル材１７、１７が配され、このアングル材１７、１７が切り欠き部分に露出したハット形鋼１５、１５の端面に溶接されている。これにより、張出部１２、１２を補強して、張出部１２、１２の設置部材２０への設置に際して、張出部１２、１２に亀裂や損傷が生じないようにしている。
【００２９】
なお、床パネル２としては、このような構造のものだけに限らず、例えば上記構造において張出部１２、１２を設けていないものや、平面視略長方形状の単なるＡＬＣであっても良い。
【００３０】
支持装置３は、図１及び図２に示すように、並設する複数の床パネル２・・を設置する設置部材２０と、この設置部材２０を弾性支持する複数の弾性支持部材２１、２２・・と、床パネル２・・を設置部材２０に固定する複数の固定部材２３・・とを備えている。
【００３１】
設置部材２０は、複数のパネル載置台３０、３１・・を連結手段３２・・を介して連結してなる。パネル載置台３０、３１としては、設置部材２０の中間部に配置する中間部用のパネル載置台３０と、設置部材２０の端部に配置する端部用のパネル載置台３１とを備えている。なお、図示しないが、床梁１に立設した独立柱を回避するような柱回避用のパネル載置台をさらに用意しても良い。
【００３２】
中間部用のパネル載置台３０は、図３に示すように、金属製の帯板を折曲してなり、その長手方向の長さは、床パネル２の短手方向に沿った端部の長さとほぼ等しくなっている。このパネル載置台３０の長手方向の一端側には、上方へ向けて突出する固定用ボルト３５が溶接等によって固定されて、長手方向の他端側には、隣接するパネル載置台３０、３１の固定用ボルト３５を挿通させるボルト貫通孔３６が形成されている。また、パネル載置台３０の長手方向の他端側には、その先端部分を下方に略直角に折曲することによって突部３７が形成されている。さらに、パネル載置台３０の長手方向の略中央部には、弾性支持部材２１の取付用ボルト４１を挿通させるボルト挿通孔３８が形成されている。
【００３３】
また、中間部用のパネル載置台３０における固定用ボルト３５よりも中央部寄りには、短手方向の幅全長に亘って上方に開放する溝部３９が形成されている。そして、この溝部３９を境にして、パネル載置台３０の一端側の上面がその他の部分の上面すなわち床パネル２の短手方向に沿った端部を載置する載置面３０ａよりも低くなっている。
【００３４】
端部用のパネル載置台３１は、図４に示すように、中間部用のパネル載置台３０のボルト挿通孔３８よりも他端側を切り落とした形状となっており、その他の構成は、中間部用のパネル載置台３０と同じになっている。
【００３５】
なお、中間部用及び端部用のパネル載置台３０、３１において、その長手方向に沿った端部を下方に適宜折曲げてリブを形成し、曲げ剛性を高めるようにしても良い。
【００３６】
隣接するパネル載置台３０、３１同士を連結する連結手段３２は、隣接するパネル載置台３０、３１のうちの一方の溝部３９と、隣接するパネル載置台３０、３１のうちの他方の突部３７とから構成されている。そして、図５及び図６に示すように、隣接するパネル載置台３０、３１のうちの一方の固定用ボルト３５を、隣接するパネル載置台３０、３１のうちの他方のボルト貫通孔３６に挿通させながら、他方の突部３７を一方の溝部３９に係合することで、一方のパネル載置台３０、３１の一端側と他方のパネル載置台３０、３１の他端側が互いに重なり合って、隣接するパネル載置台３０、３１同士が連結するようになっている。
【００３７】
この連結状態において、隣接するパネル載置台３０、３１が水平方向や回転方向にずれることなく、これらパネル載置台３０、３１の載置面３１ａ、３１ａが略面一となって同一直線上に連続して配されるようになっている。
【００３８】
弾性支持部材２１、２２・・としては、例えば中間部用のパネル載置台３０に取り付ける液封マウント２１と、端部用のパネル載置台３１に取り付ける防振ゴム材２２とを備えている。
【００３９】
液封マウント２１は、図１に示すように、例えば外装ケース４０内に、ゴム弾性体と、粘性流体を封入した複数の液室と、これら液室を連通するオリフィス通路とが設けられている。そして、この液封マウント２１においては、パネル載置台３０に設置した床パネル２に衝撃が加わると、ゴム弾性体が圧縮変形して床衝撃音を低減するようになっている。しかも、床パネル２に歩行振動が加わると、ゴム弾性体の圧縮変形により各液室の体積が変化することで、粘性液体がオリフィス通路を通って両液室間を移動し、そのときに生じる粘性液体の反力によって歩行振動を減衰するようになっている。
【００４０】
また、液封マウント２１は、高さを低く抑えた略短円柱状に形成されており、その平面から見た横幅が、床梁１の上フランジ４上面の短手方向の横幅と略同じか若しくは若干長くなっている。液封マウント２１の上面側には、上方へ向けて突出する取付用ボルト４１が取り付けられ、下面側には、下方へ向けて突出する一対の脚ボルト４２、４２が取り付けられている。
【００４１】
液封マウント２１のパネル載置台３０への取り付けに際しては、液封マウント２１の取付用ボルト４１を、パネル載置台３０のボルト挿通孔３８へ挿通させるとともに、その先端部に螺合したナット４３を締め付けるようにしている。これにより、パネル載置台３０の長手方向の略中央部に、液封マウント２１が取り付けられる。
【００４２】
また、液封マウント２１の脚ボルト４２、４２を、床梁１の上フランジ４のボルト孔５、５へ挿通させるとともに、その先端部に螺合したナット４４、４４を締め付けることで、液封マウント２１が床梁１の上フランジ４に取り付けられる。
【００４３】
防振ゴム材２２は、図２に示すように、例えば上下２枚の金属板５０、５０間に所定の厚みを有するゴム板５１を介在してなる。この防振ゴム材２２は、平面視略長方形状に形成されていて、平面から見た短手方向の横幅すなわち短辺の長さが、液封マウント２１の横幅の略１／２となっている。そして、この防振ゴム材２２においては、パネル載置台３１に設置した床パネル２に衝撃が加わると、ゴム板５１が圧縮変形して床衝撃音を低減するようになっている
【００４４】
また、防振ゴム材２２の上側の金属板５０には、上方へ向けて突出する取付用ボルト５２が取り付けられ、下側の金属板５０には、下方へ向けて突出する一対の脚ボルト５３、５３が取り付けられている。
【００４５】
防振ゴム材２２のパネル載置台３１への取り付けに際しては、防振ゴム材２２の取付用ボルト５２を、パネル載置台３１のボルト挿通孔３８へ挿通させるとともに、その先端部に螺合したナット４３を締め付けるようにしている。これにより、パネル載置台３１の端部に、防振ゴム材２２が取り付けられる。
【００４６】
また、防振ゴム材２２の脚ボルト５３、５３を、床梁１の上フランジ４のボルト孔５、５へ挿通させるとともに、その先端部に螺合したナット４４、４４を締め付けることで、防振ゴム材２２が床梁１の上フランジ４に取り付けられる。このとき、防振ゴム材２２は、液封マウント２１と比べて幅が小さいので、床梁１の端部付近の狭小な壁５４当たり箇所にも支障なく取り付けることができるようになっている。
【００４７】
図５及び図６は、隣接するパネル載置台３０、３１同士を連結して構成した設置部材２０を、床梁１に取り付けた液封マウント２１や防振ゴム材２２によって弾性支持した状態を示している。なお、この施工に際しては、予め工場等において、各パネル載置台３０、３１・・に対して液封マウント２１や防振ゴム材２２を取り付けておき、現場において、隣接するパネル載置台３０、３１同士を連結しながら、液封マウント２１や防振ゴム材２２を床梁１に取り付けるようにすることで、施工性の向上を図ることができる。
【００４８】
そして、この設置部材２０におけるパネル載置台３０、３１・・の載置面３０ａ、３１ａ上には、図７〜図１０に示すように、床パネル２・・における張出部１２が載置される。このとき、コンクリート基材１０の厚み方向下部側及びハット形鋼１５、１５が落とし込まれて、床レベルが低く抑えられる。このようにして設置部材２０上に設置した床パネル２・・は、固定部材２３・・によって設置部材２０上に固定される。
【００４９】
この固定部材２３は、パネル載置台３０、３１の固定用ボルト３５と、この固定用ボルト３５を挿通させた状態で、床パネル２、２の上面に当接する当接プレート６０と、固定用ボルト３５の先端部に螺合して当接プレート６０を下方へ押し込むナット６１とを備えている。
【００５０】
すなわち、図１１に示すように、上記の床パネル２・・の設置状態において、パネル載置台３０、３１・・の固定用ボルト３５が、床梁１の長手方向と直交する方向に隣接する床パネル２、２の張出部１２、１２間の隙間に配されていて、これら固定用ボルト３５に挿通させた当接プレート６０を、床梁１の長手方向と直交する方向に隣接する床パネル２、２の横溝１３、１３に収容させた状態で、この固定用ボルト３５の先端部に螺合したナット６１を締め付けることで、当接プレート６０が床パネル２、２の張出部１２、１２の上面を押し付け、さらに床パネル２、２がパネル載置台３０、３１・・の連結部分を上方から押さえ付けることで、これら床パネル２、２と設置部材４とが一体化して、床パネル２、２同士も相互に連結しながら固定される。なお、このようにして設置した床パネル２・・の上面には、パーティクルボード６５やフロア材が敷設される。
【００５１】
この床パネル２・・の固定状態において、液封マウント２１や防振ゴム材２２が床パネル２・・の四隅に対応して配置されることになり、また２枚の床パネル２、２の短手方向に沿った端部の略中央部分を、１つの固定部材２３によって同時に固定することになる。従って、床パネル２・・をバランス良く弾性支持することができ、また多少のパネル固定位置に誤差が生じた場合でも、４枚の床パネル２・・の隅部を１つの固定部材２３によって同時に固定する場合と比べて、固定強度の低下を招き難く、床パネル２・・を安定して固定することができる。
【００５２】
上記構成の床構造においては、物が落下したときや子供が飛び跳ねたとき等には、液封マウント２１・・のゴム弾性体及び防振ゴム材２１・・のゴム板５１が弾性変形して、床パネル２・・から床梁１・・へ伝搬する床衝撃音を低減することができる。また、歩行時には、液封マウント２１・・の減衰機構の作用により、歩行振動を減衰して歩行感を良好にすることができる。
【００５３】
この発明は、上記実施形態に限定されるものではなく、この発明の範囲内で上記実施形態に多くの修正及び変更を加え得ることは勿論である。
【００５４】
例えば、この発明の支持装置は、床梁と床パネルとの間に介在させるだけでなく、ＲＣスラブと床パネルとの間に介在させて、防振二重床の構築に利用しても良い。また、設置部材にバネ機能を持たせることにより、弾性支持部材２１、２２・・だけでは実現できない防振効果を発揮させるようにしても良い。さらに、上記実施形態においては、中間部用のパネル載置台３０に取り付ける弾性支持部材として液封マウント２１を用い、端部用のパネル載置台３１に取り付ける弾性支持部材として防振ゴム材２２を用いていたが、双方ともに液封マウント２１を用いたり、双方ともに防振ゴム材２２を用いるようにしても良い。さらにまた、上記実施形態においては、各パネル載置台３０、３１・・に対して弾性支持部材２１、２２・・を夫々取り付けて、パネル載置台３０、３１・・と弾性支持部材２１、２２・・の個数を同じにしていたが、弾性支持部材２１、２２・・の個数をパネル載置台３０、３１・・の個数よりも少なくしても良い。すなわち、弾性支持部材２１、２２を取り付けていないパネル載置台３０、３１を要所要所に用いて、設置部材２０を構成しても良い。
【図面の簡単な説明】
【００５５】
【図１】この発明の一実施形態に係る支持装置の中間部用のパネル載置台部分の分解斜視図である。
【図２】支持装置の端部用のパネル載置台部分の分解斜視図である。
【図３】中間部用のパネル載置台の斜視図である。
【図４】端部用のパネル載置台の斜視図である。
【図５】中間部用のパネル載置台の施工状態を示す斜視図である。
【図６】端部用のパネル載置台の施工状態を示す斜視図である。
【図７】床パネルの施工状態を示す斜視図である。
【図８】床パネルの施工状態を示す斜視図である。
【図９】床パネルの施工状態を示す斜視図である。
【図１０】床パネルの施工状態を示す斜視図である。
【図１１】床構造の縦断面図である。
【図１２】床パネルを示す図である。
【符号の説明】
【００５６】
１・・床梁、２・・床パネル、３・・支持装置、２０・・設置部材、２１、２２・・弾性支持部材、２３・・固定部材、３０・・中間用のパネル載置台、３０ａ、３１ａ・・載置面、３１・・端部用のパネル載置台、３２・・連結手段、３５・・固定用ボルト、３６・・ボルト貫通孔、３７・・突部、３８・・ボルト挿通孔、３９・・溝部、４１、５２・・取付用ボルト、４２、５３・・脚ボルト、４３・・ナット、６０・・当接プレート、６１・・ナット
【図１】
2007023558.tif 000003
【図２】
2007023558.tif 000004
【図３】
2007023558.tif 000005
【図４】
2007023558.tif 000006
【図５】
2007023558.tif 000007
【図６】
2007023558.tif 000008
【図７】
2007023558.tif 000009
【図８】
2007023558.tif 000010
【図９】
2007023558.tif 000011
【図１０】
2007023558.tif 000012
【図１１】
2007023558.tif 000013
【図１２】
2007023558.tif 000014